【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
画像データの画素数変換処理を実行可能な信号処理装置であって、
画像データが入力され、入力された画像データに対して第１の信号処理を実行可能な第１の信号処理回路と、
前記第１の信号処理を実行可能であり、前記第１の信号処理回路から出力された信号が入力される第２の信号処理回路と、
前記第１の信号処理を前記第１の信号処理回路で実行するか、前記第２の信号処理回路で実行するかを、前記画像データの画素数変換処理に適用される拡大率に応じて切り換える制御を行う制御手段と、
を有することを特徴とする信号処理装置。
【請求項２】
前記制御手段は、前記拡大率が所定の値よりも大きい場合に前記第１の信号処理を前記第１の信号処理回路で実行させ、前記拡大率が前記所定の値よりも小さい場合に前記第１の信号処理を前記第２の信号処理回路で実行させるように制御することを特徴とする請求項１に記載の信号処理装置。
【請求項３】
前記第１の信号処理回路及び前記第２の信号処理回路はともに前記第１の信号処理が施された信号に第２の信号処理を施すことが可能なように構成されており、
前記制御手段は、前記拡大率が所定の値よりも大きい場合に前記第２の信号処理を前記第１の信号処理回路で実行させ、前記拡大率が前記所定の値よりも小さい場合に前記２の信号処理回路で実行させ、前記拡大率が所定の値に等しい場合に前記第１の信号処理を前記第１の信号処理回路で実行させるとともに前記第２の信号処理を前記第２の信号処理回路で実行させるように制御することを特徴とする請求項２に記載の信号処理装置。
【請求項４】
前記第１の信号処理回路は前記第１の信号処理が施された信号に対して第３の信号処理を実行可能に構成され、前記制御手段は前記拡大率に応じて、前記第３の信号処理を実行するか否かを切り換える制御を行うことを特徴とする請求項３に記載の信号処理装置。
【請求項５】
前記第３の信号処理は前記第１の信号処理が施された信号のうち、前記第２の信号処理回路において実行される前記第２の信号処理の対象となる信号を限定するための情報を設定する処理であることを特徴とする請求項４に記載の信号処理装置。
【請求項６】
画像データが入力され、入力された画像データに対して第１の信号処理を実行可能な第１の信号処理回路と、前記第１の信号処理を実行可能であり、前記第１の信号処理回路から出力された信号が入力される第２の信号処理回路とを有し、画像データの画素数変換処理を実行可能な信号処理装置の制御方法であって、
画像データの画素数変換処理に適用される拡大率を指定する制御信号が入力される入力ステップと、
前記第１の信号処理を前記第１の信号処理回路で実行するか、前記第２の信号処理回路で実行するかを、前記拡大率（the enlargement ratio）に応じて切り換える制御ステップと、
を有することを特徴とする信号処理装置の制御方法。
【請求項７】
前記制御ステップは、前記拡大率が所定の値よりも大きい場合に前記第１の信号処理を前記第１の信号処理回路で実行させ、前記拡大率が前記所定の値よりも小さい場合に前記第１の信号処理を前記第２の信号処理回路で実行させるように制御することを特徴とする請求項６に記載の信号処理装置の制御方法。
【請求項８】
前記第１の信号処理回路及び前記第２の信号処理回路はともに前記第１の信号処理が施された信号に第２の信号処理を施すことが可能なように構成されており、
前記制御ステップでは、前記拡大率が所定の値よりも大きい場合に前記第２の信号処理を前記第１の信号処理回路で実行させ、前記拡大率が前記所定の値よりも小さい場合に前記２の信号処理回路で実行させ、前記拡大率が所定の値に等しい場合に前記第１の信号処理を前記第１の信号処理回路で実行させるとともに前記第２の信号処理を前記第２の信号処理回路で実行させるように制御することを特徴とする請求項７に記載の信号処理装置の制御方法。
【請求項９】
前記第１の信号処理回路は前記第１の信号処理が施された信号に対して第３の信号処理を実行可能に構成され、前記制御ステップでは前記拡大率に応じて、前記第３の信号処理を実行するか否かを切り換える制御を行うことを特徴とする請求項８に記載の信号処理装置の制御方法。
【請求項１０】
前記第３の信号処理は前記第１の信号処理が施された信号のうち、前記第２の信号処理回路において実行される前記第２の信号処理の対象となる信号を限定するための情報を設定する処理であることを特徴とする請求項９に記載の信号処理装置の制御方法。
【手続補正２】
【補正対象書類名】明細書
【補正対象項目名】発明の名称
【補正方法】変更
【補正の内容】
【発明の名称】信号処理装置及び信号処理装置の制御方法
【手続補正３】
【補正対象書類名】明細書
【補正対象項目名】０００１
【補正方法】変更
【補正の内容】
【０００１】
本発明は、信号処理装置及び信号処理装置の制御方法に関し、特に、信号の復号処理などの信号処理を、少なくとも２つの信号処理回路において分担させて実行させる技術に適用して好適なものである。
【手続補正４】
【補正対象書類名】明細書
【補正対象項目名】００１０
【補正方法】変更
【補正の内容】
【００１０】
本発明の信号処理装置は、画像データの画素数変換処理を実行可能な信号処理装置であって、画像データが入力され、入力された画像データに対して第１の信号処理を実行可能な第１の信号処理回路と、前記第１の信号処理を実行可能であり、前記第１の信号処理回路から出力された信号が入力される第２の信号処理回路と、前記第１の信号処理を前記第１の信号処理回路で実行するか、前記第２の信号処理回路で実行するかを、前記画像データの画素数変換処理に適用される拡大率に応じて切り換える制御を行う制御手段と、を有することを特徴とする。
本発明の信号処理装置の制御方法は、画像データが入力され、入力された画像データに対して第１の信号処理を実行可能な第１の信号処理回路と、前記第１の信号処理を実行可能であり、前記第１の信号処理回路から出力された信号が入力される第２の信号処理回路とを有し、画像データの画素数変換処理を実行可能な信号処理装置の制御方法であって、画像データの画素数変換処理に適用される拡大率を指定する制御信号が入力される入力ステップと、前記第１の信号処理を前記第１の信号処理回路で実行するか、前記第２の信号処理回路で実行するかを、前記拡大率（the enlargement ratio）に応じて切り換える制御ステップと、を有することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】